(57)【要約】【課題】本発明は携帯無線機に関するものであり、小型でインピーダンス調整の容易な逆Ｆアンテナを有する携帯無線機を提供することを目的とする。【解決手段】目的を達成するために、接地板１２を有する回路基板１１と、この回路基板１１と対向して配置された板状の放射電極１３とこの放射電極１３に接続される短絡部１４と前記放射電極１３に接続される給電部１５とを備えた逆Ｆアンテナと、前記回路基板１１上に前記短絡部１４と接続される端子１７と前記給電部１５に接続される給電端子１６と回路部と表示部と入力部とを形成し、前記回路基板１１と前記逆Ｆアンテナとを内蔵する筐体とからなる携帯無線機において、前記回路基板１１上の端子１７と接地板１２との間にインダクタンス素子１８を設けた構成としたものである。【選択図】図２
2005109636.tif 000002
【特許請求の範囲】
【請求項１】
接地板を有する回路基板と、この回路基板と対向して配置された板状の放射電極とこの放射電極に接続される短絡部と前記放射電極に接続される給電部とを備えた逆Ｆアンテナと、前記回路基板上に前記短絡部と接続される端子と前記給電部に接続される給電端子と回路部と表示部と入力部とを形成し、前記回路基板と逆Ｆアンテナとを内蔵する筐体とからなる携帯無線機において、前記回路基板上の端子と接地板との間にインダクタンス素子を設けた携帯無線機。
【請求項２】
インダクタンス素子がチップコイルである請求項１に記載の携帯無線機。
【請求項３】
インダクタンス素子を回路基板上のパターンで形成した請求項１に記載の携帯無線機。
【請求項４】
放射電極を複数構成した請求項１に記載の携帯無線機。
【発明の詳細な説明】
【技術分野】
【０００１】
本発明は携帯電話やＰＨＳなどの携帯無線機に関するものである。
【背景技術】
【０００２】
携帯電話などの携帯無線機は、端末の小型化が進んでいる。そしてアンテナ装置を携帯無線機の筐体に内蔵する携帯無線機が増加しつつある。
【０００３】
図７（ａ）は携帯無線機の斜視図、図７（ｂ）は側面図を示している。
【０００４】
図７において、１００は筐体、１０１は筐体１００内に配置される回路基板、１０９は表示部、１１１は入力部、１１０は回路部、１０８は筐体１００内に配置される逆Ｆアンテナである。携帯無線機に内蔵されるアンテナ１０８は主に逆Ｆアンテナが用いられている。
【０００５】
従来の逆Ｆアンテナの斜視図を図８に示す。１０１は回路基板、１０２は接地板、１０３は回路基板１０１と対向して配置された放射電極、１０４は放射電極１０３と接地板１０２とを接続する短絡部、１０５は放射電極１０３に接続される給電部、１０６は給電部１０５と回路部（図示せず）を接続する給電端子、１０７は放射電極１０３に形成されるスリットである。
【０００６】
逆Ｆアンテナは短絡部１０４と給電部１０５との間隔を調整することにより、インピーダンスを変化させインピーダンス整合をとるようにしている。そのため、スリット１０７の長さを調整することで短絡部１０４と給電部１０５の間隔を調整している。
【０００７】
なお、この出願の発明に関する先行技術文献情報として、例えば特許文献１が知られている。
【特許文献１】特開平４−１５７９０８号公報
【発明の開示】
【発明が解決しようとする課題】
【０００８】
しかしながら、このようなスリット１０７を用いてインピーダンス整合をとる場合にはスリット１０７の面積がアンテナの放射電極１０３の面積に加えて必要になるためアンテナの形状が大きくなるので小型化が困難となる。
【０００９】
さらに、スリット１０７の長さを変えるためアンテナ自体の形状を変更することになり、アンテナを成型する金型を変更する必要が生じるため調整の容易さという点で問題があった。
【００１０】
本発明は上記課題を解決するもので、小型でかつアンテナ形状を変えずにインピーダンス調整が容易なアンテナを有する携帯無線機を提供することを目的としたものである。
【課題を解決するための手段】
【００１１】
上記目的を達成するために本発明は以下の構成を有する。
【００１２】
本発明の請求項１に記載の発明は、接地板を有する回路基板と、この回路基板と対向して配置された板状の放射電極とこの放射電極に接続される短絡部と前記放射電極に接続される給電部とを備えた逆Ｆアンテナと、前記回路基板上に前記短絡部と接続される端子と前記給電部に接続される給電端子と回路部と表示部と入力部とを形成し、前記回路基板と逆Ｆアンテナとを内蔵する筐体とからなる携帯無線機において、前記回路基板上の端子と接地板との間にインダクタンス素子を設けた携帯無線機であり、これにより、逆Ｆアンテナのインピーダンスを調整し、小型でかつアンテナ形状を変えずにインピーダンス調整が容易にできるアンテナを有する携帯無線機を提供することが可能となる。
【００１３】
本発明の請求項２に記載の発明は、インダクタンス素子がチップコイルである請求項１に記載の携帯無線機であり、これにより、インピーダンスの調整が容易になる。
【００１４】
本発明の請求項３に記載の発明は、インダクタンス素子を回路基板上のパターンで形成した請求項１に記載の携帯無線機であり、これにより、インダクタンス素子がパターンで形成するため安価に構成できる。
【００１５】
本発明の請求項４に記載の発明は、放射電極を複数構成した請求項１に記載の携帯無線機であり、これにより、複数の周波数に対応可能なアンテナを有する携帯無線機を提供することが可能となる。
【発明の効果】
【００１６】
本発明の携帯無線機は、接地板を有する回路基板と、この回路基板と対向して配置された板状の放射電極とこの放射電極に接続される短絡部と前記放射電極に接続される給電部とを備えた逆Ｆアンテナと、前記回路基板上に前記短絡部と接続される端子と前記給電部に接続される給電端子と回路部と表示部と入力部とを形成し、前記回路基板と逆Ｆアンテナとを内蔵する筐体とからなる携帯無線機において、前記回路基板上の端子と接地板との間にインダクタンス素子を設けた構成であり、回路基板上にインダクタンス素子を形成することで逆Ｆアンテナのインピーダンスを調整し、小型でかつアンテナ形状を変えずにインピーダンス調整が可能なアンテナを有する携帯無線機を提供することが可能となる。
【発明を実施するための最良の形態】
【００１７】
（実施の形態１）
以下に、実施の形態１を用いて、本発明の請求項１〜２記載の発明について説明する。
【００１８】
図１（ａ）は携帯無線機の斜視図、図１（ｂ）は側面図を示している。
【００１９】
図１において１は筐体、１１は筐体１内に配置される回路基板、３は表示部、４は入力部、５は回路部、６は筐体１内に配置される逆Ｆアンテナで携帯無線機を構成している。
【００２０】
図２は本発明の実施の形態１を示す斜視図である。
【００２１】
１１は回路基板、１２は回路基板１１上の接地板、１３は回路基板１１上に対向して配置される放射電極、１４は放射電極１３に接続される短絡部、１５は放射電極１３に接続される給電部、１６は給電部１５と回路部（図示せず）とを接続する回路基板１１上に形成される給電端子、１７は短絡部１４と接続される回路基板１１上に形成される端子、１８は端子１７と接地板１２とを接続する回路基板１１上に実装されるチップコイルである。
【００２２】
逆Ｆアンテナ６は放射電極１３、接地板１２、給電部１５、短絡部１４で構成され、このアンテナ６のインピーダンスは給電部１５と短絡部１４のリアクタンス分と放射電極１３の線路インピーダンスとを並列接続したもので、インピーダンス整合を図るためには前述したように給電部１５と短絡部１４との距離Ａを調整する必要がある。しかしながら、アンテナ６が小型になるに従い給電部１５と短絡部１４との距離Ａの調整だけではインピーダンス整合を図ることが難しくなり、この逆Ｆアンテナ６が組み込まれる携帯無線機の設計を著しく制約してしまう。よって、アンテナの小型化を維持しつつインピーダンス整合を図るため端子１７と接地板１２とを接続する回路基板１１上にチップコイル１８を実装することで容易にインピーダンス整合を図ることができるのである。
【００２３】
図３は従来の逆Ｆアンテナ１０８（チップコイルを用いない）のインピーダンス特性である。給電部１５と短絡部１４の間隔が１ｍｍのときのスミスチャートを示している。グラフが中心（５０Ωインピーダンス）に近いほど、インピーダンス整合が取れていることを意味しているが、この場合、グラフは中心から大きく外れており５０Ωインピーダンスの整合が取れていない。
【００２４】
これはインピーダンス調整をするための間隔が狭すぎるためであり、間隔を広げる必要がある。しかしながら、間隔を広げたりスリットを付加したりすることはアンテナの小型化や形状変更による特性の確保が難しい。
【００２５】
図４は本発明のインピーダンス特性を示している。逆Ｆアンテナ６は図３で用いた給電部１５と短絡部１４の間隔が１ｍｍでありチップコイル１８（６．８ｎＨ）を端子１７と接地板１２の間に用いた場合のスミスチャートを示している。図４では所望の周波数帯でインピーダンスがほぼ中央にありアンテナ構成を全く変更せずに最適なチップコイル１８を付加することで、インピーダンス整合が実現できていることがわかる。
【００２６】
以上のようにチップコイル１８の素子値を変えることで等価的に短絡部１４と給電部１５の間隔を変えることができるため、逆Ｆアンテナ６のインピーダンス整合をとることができる携帯無線機を提供することが可能となる。
【００２７】
（実施の形態２）
以下に、実施の形態２を用いて本発明の請求項３に記載の発明について説明する。
【００２８】
図５は、本発明の実施の形態２を示す斜視図である。
【００２９】
なお、実施の形態１の構成と同様の構成を有するものについては同一符号を付して説明を省略する。
【００３０】
図５における相違点はインダクタンス素子を回路基板１１上の基板上パターン１９で形成した点である。
【００３１】
このような構成にすることで基板上パターン１９のみでインダクタンスが形成できるため、安価に構成することが可能となる。
【００３２】
なお、本実施の形態２では基板上パターン１９について述べたが、例えば銅線を巻いた巻き線や、銅箔を貼り付ける構成によっても、同様の効果が得られる。
【００３３】
（実施の形態３）
以下に、実施の形態３を用いて、本発明の請求項４に記載の発明について、説明する。
【００３４】
図６は本発明の実施の形態３を示す斜視図である。
【００３５】
なお、実施の形態１の構成と同様の構成を有するものについては、同一符号を付して説明を省略する。
【００３６】
図６における相違点は、放射電極を、第一の放射電極２０と、第二の放射電極２１とで形成した点である。
【００３７】
このような構成にすることで、各放射電極２０、２１が各々の周波数に対応するため、複数の周波数に対応可能なアンテナを有する携帯無線機を提供することが可能となる。
【産業上の利用可能性】
【００３８】
本発明にかかる携帯無線機は、小型でかつアンテナ形状を変えずにインピーダンス調整が可能なアンテナを有する携帯無線機を提供することが可能となり小型の携帯無線機に有用である。
【図面の簡単な説明】
【００３９】
【図１】（ａ）携帯無線機の斜視図、（ｂ）携帯無線機の側面図
【図２】本発明の実施の形態１における逆Ｆアンテナの斜視図
【図３】従来のインピーダンス特性図
【図４】本発明のインピーダンス特性図
【図５】本発明の実施の形態２における逆Ｆアンテナの斜視図
【図６】本発明の実施の形態３における逆Ｆアンテナの斜視図
【図７】（ａ）従来の携帯無線機の斜視図、（ｂ）従来の携帯無線機の側面図
【図８】従来の逆Ｆアンテナの斜視図
【符号の説明】
【００４０】
１  筐体
３  表示部
４  入力部
５  回路部
６  逆Ｆアンテナ
１１  回路基板
１２  接地板
１３  放射電極
１４  短絡部
１５  給電部
１６  給電端子
１７  端子
１８  チップコイル
１９  基板上パターン
２０  第一の放射電極
２１  第二の放射電極
【図１】
2005109636.tif 000003
【図２】
2005109636.tif 000004
【図３】
2005109636.tif 000005
【図４】
2005109636.tif 000006
【図５】
2005109636.tif 000007
【図６】
2005109636.tif 000008
【図７】
2005109636.tif 000009
【図８】
2005109636.tif 000010